(57)【要約】【課題】本発明の目的はトラカール外套管との隙間が小さくなって気腹用のガスの通りを悪くしたりすることなく、内視鏡の先端面に付いて溜まった液体の滴を取り除き、内視鏡手術を円滑に進めることのできる先端キャップ付き内視鏡を提供することである。【解決手段】本発明は、内視鏡の先端面近傍に吸液・保液機能のある材質で形成した先端キャップ７を着脱自在に設けた内視鏡である。【選択図】    図４
2004154170.tif 000002
【特許請求の範囲】
【請求項１】
内視鏡の先端面近傍に吸液・保液機能のある材質で形成した先端キャップを着脱自在に設けたことを特徴とする内視鏡。
【請求項２】
挿入部の先端部に先端キャップを着脱自在に設けた内視鏡において、上記先端キャップを上記先端部に取り付けたとき、上記先端部と上記先端キャップの間に形成され、少なくとも一部が上記内視鏡の先端面近傍において開口し、液体を取り込め得る隙間を設けたことを特徴とする内視鏡。
【請求項３】
挿入部の先端部に先端キャップを着脱自在に設けた内視鏡において、上記先端キャップは略円筒状で軸方向に切り欠き部を設けた弾性部材で形成し、上記先端部に被せて取り付ける際に上記切り欠き部が液体を取り込める隙間を生じた状態で開き、上記先端キャップが上記先端部に固定されることを特徴とする内視鏡。
【発明の詳細な説明】
【０００１】
【発明の属する技術分野】
本発明は挿入部の先端部に先端キャップを着脱自在に設けた内視鏡に関する。
【０００２】
【従来の技術】
内視鏡を用いて外科手術を行なう際、術部を洗浄するときに生理食塩水や体液が跳ね返って内視鏡の先端面に付着することが良くある。通常、内視鏡の先端面には体内挿入時の曇りを防止する為、曇り止め剤が塗られる。また、この曇り止め剤は付着した液の濡れ性を上げる働きがあるため、跳ね返った液体が水滴となって内視鏡の先端面に付着して視界を遮ることを防止する機能がある。
【０００３】
しかし、内視鏡の先端面に付着した液体は重力で広がりながら下方へ移動し、内視鏡の先端面の最下端部分に溜まった状態に留まってしまうことがある。この溜まった液体の量が多くなってくると、観察視野の下方部分の光線が液体越しに入射してしまい、観察に支障をきたしていた。
【０００４】
そこで、上記の問題や先端面の洗浄のために特許文献１に記載のものが提案されている。特許文献１のものは洗浄シースを挿入部の全長にわたり被嵌すると共に、洗浄シースの先端に折り返し部を形成し、体液等が洗浄シースの外周を伝わって先端開口部内に侵入することを防ぐようにしたものである。
【０００５】
【特許文献１】
特開平１０−２０１７１３号公報（第２頁、第２図）
【０００６】
【発明が解決しようとする課題】
特許文献１のように、洗浄シースを用いるのは効果的ではあるものの、挿入部全長の外径が太くなる。その結果、トラカール外套管との隙間が小さくなって、気腹用のガスの通りが悪くなる等の不具合があった。
【０００７】
本発明の目的は、例えばトラカール外套管との隙間が小さくなって気腹用のガスの通りを悪くしたりすることなく、内視鏡の先端面に付いて溜まった液体の滴を取り除き、内視鏡手術を円滑に進めることのできる、先端キャップ付き内視鏡を提供することである。
【０００８】
【課題を解決するための手段】
請求項１に係る発明は、内視鏡の先端面近傍に吸液・保液機能のある材質で形成した先端キャップを着脱自在に設けたことを特徴とする内視鏡である。
請求項２に係る発明は、挿入部の先端部に先端キャップを着脱自在に設けた内視鏡において、上記先端キャップを上記先端部に取り付けたとき、上記先端部と上記先端キャップの間に形成され、少なくとも一部が上記内視鏡の先端面近傍において開口し、液体を取り込め得る隙間を設けたことを特徴とする内視鏡である。
請求項３に係る発明は、挿入部の先端部に先端キャップを着脱自在に設けた内視鏡において、上記先端キャップは略円筒状で軸方向に切り欠き部を設けた弾性部材で形成し、上記先端部に被せて取り付ける際に上記切り欠き部が液体を取り込める隙間を生じた状態で開き、上記先端キャップが上記先端部に固定されることを特徴とする内視鏡である。
【０００９】
【発明の実施の形態】
（第１実施形態）
図１乃至図３を参照して本発明の第１実施形態に係る内視鏡を説明する。
【００１０】
図１は内視鏡の挿入部における先端部１を示し、この先端部１の先端面２には対物カバーガラス３と照明光出射部４が、先端部１における外装チューブ５の端面と略同一平面になるように設けられている。先端面２には曇り止め剤を塗布してある。このため、このままでは先端面２や外装チューブ５の外表面に付着した液体は重力により容易に最下端付近に集まり、図１及び図２に示すように液体が滴６となって溜り、これが対物カバーガラス３を通じての視界を遮り、観察に支障をきたす虞がある。図２はその滴６の様子を先端部１の横から見たものである。
【００１１】
この先端部１には先端キャップ７が直脱自在に装着される。先端キャップ７は吸水・保水能力の高い材料、例えば、ＰＶＡ（ポリビニルアルコール）製のいわゆるスポンジ様発泡材やＰＵ（ポリウレタン）製のいわゆるスポンジ様の発泡材で形成されると共に図３に示すように円筒状の部材としてある。先端部１に装着する前のフリーの状態での、先端キャップ７の内径は挿入部における先端部１の外装チューブ５の外径よりも小さく形成されている。
【００１２】
次に本実施形態の先端キャップ７を使用する場合について説明する。まず、予め滅菌した内視鏡と先端キャップ７を用意する。そして、先端キャップ７を生理食塩水に漬けて十分柔らかくし、余分な水分をよく絞り落とし、そして、内径を広げながら先端部１に嵌め込み、内視鏡の先端面２と先端キャップ７の先端が図４に示すように略同一平面になる位置に装着する。
【００１３】
内視鏡の先端部１に先端キャップ７を装着して使用した場合、図４に示すように先端面２に付着した液体が滴６となって下部に集まると、大きな滴６を生成する前に吸水・保水機能のある先端キャップ７に触れ、毛細管現象により先端キャップ７に吸収し、液体を取り込める。また、液体が飛び散る等によって先端キャップ７に直接に着いた液体はそのまま先端キャップ７に吸収される。
【００１４】
先端キャップ７への吸収量が増え、先端キャップ７の吸収能力が限界になり、滴６が出来てしまい、観察に支障を来たす状況になったときは内視鏡を体内から抜いて先端キャップ７を内視鏡に付けたまま絞って液体を排出すると、先端キャップ７は吸収力が回復し、液体を吸収できるようになり、そのまま体内に挿入して使うことができる。
【００１５】
本実施形態の先端キャップ７を使用すれば、挿入部先端に溜まって観察に支障をきたす滴６を大きくなる前に先端キャップ７に吸収することにより、内視鏡を体内から取り出して先端を拭く作業がほとんど無くなり、手術時間の短縮が図れ、観察が途切れないことにより作業性の向上が見込める。また、挿入部のトラカール外套管に入る部分の外径を太くしないで済むので、気腹ガスの流量にも何ら悪影響を及ぼさない。
【００１６】
（第２実施形態）
本発明の第２実施形態に係る内視鏡について図５乃至図７を参照して説明する。
【００１７】
本実施形態の先端キャップ７は第１実施形態の先端キャップ７の先端側端縁を図５に示すように一部切り欠いてなる切り欠き部８を設けたものである。
【００１８】
この先端キャップ７に適合する内視鏡の先端部１は図６に示すように外径を細くした細径部９を設け、この細径部９の長さは上記先端キャップ７の円筒部分の長さに略等しくなっている。細径部９の先端には先端キャップ７の切り欠き部８に嵌り合うフランジ部１０が設けられている。このため、フランジ部１０の円周方向の長さ・軸方向の長さ及び位置は先端キャップ７の切り欠き部８に略等しく形成してある。
【００１９】
また、先端部１のフランジ部１０の外径は上記細径部９以外の先端部１の部分と同じ外径である。フランジ部１０がない先端部分は細径部９と同じ径で連なって同一円周面状を成している。先端キャップ７の内径は細径部９の外径と等しいか僅かに小さく形成してある。
【００２０】
次に本実施形態の先端キャップ７を使用する場合について説明する。まず、予め滅菌した内視鏡と先端キャップ７を用意する。先端キャップ７を生理食塩水に漬けて十分に柔らかくし、余分な水分をよく絞り出してから先端キャップ７を広げながら内視鏡の細径部９に被せ、図７に示すように切り欠き部８がフランジ部１０に嵌り込むように位置決め装着する。
【００２１】
図７は先端キャップ７を先端部１に装着したところを横から見た図である。先端面２に付着した液体が集まり、滴６となったとき、その滴６が先端キャップ７に触れると、毛細管現象により先端キャップ７に吸収される。また、先端キャップ７に直に飛びかかった液体はそのまま先端キャップ７に吸収される。
【００２２】
そして、内視鏡の使用中に先端キャップ７への吸収量が増え、先端キャップ７の吸収能力が限界になり、滴６が出来てしまい、観察に支障を来たすようになったときは内視鏡を体内から抜いて先端キャップ７を内視鏡に付けたまま絞って液体を排出すると、先端キャップ７の吸収力が回復し、再び液体を吸収できるようになり、体内に挿入して使うことができる。
【００２３】
本実施形態によれば、前述した第１実施形態の効果に加え、先端キャップ７が細径部９に嵌り込んでいるため、トラカール外套管への挿脱時等にも軸方向にずれにくいので、安定的に液体を吸収することができる。
【００２４】
（第３実施形態）
本発明の第３実施形態に係る内視鏡について図８乃至図１０を参照して説明する。
【００２５】
本実施形態では硬性内視鏡（以下、硬性鏡と呼ぶ）の例であり、図８は患者体腔内に挿入される挿入部の先端部１１付近のみを示している。図８に示すように挿入部の先端部１１には斜めの端面１２が形成され、この端面１２には対物カバーガラス１３と照明光出射部１４が先端部１１における外装チューブ１５の端面と略同一平面になるように設けられている。
【００２６】
図８に示すように上記先端部１１には外装チューブ１５の外周部分の外径を細くして形成した先端キャップ取付部１６が設けられている。この先端キャップ取付部１６は他の挿入部の部分よりも細い外径となるように形成される。図８に示すように先端キャップ取付部１６の基端には先端キャップ１７の取付け位置を決める段差１８を形成している。
【００２７】
また、先端キャップ取付部１６の外周の一部には図８に示す如く連接環状溝部１９が形成されている。連接環状溝部１９の山径と谷径はそれぞれ後述する先端キャップ１７の連接環状突起部２２の谷径と山径と略嵌合する寸法に形成されている。
【００２８】
上記先端キャップ１７は図９に示すように、弾性をもった樹脂系の素材、例えばシリコンゴムなどで筒状に形成されている。先端キャップ１７の全長は硬性鏡の位置決め用段差１８に対し先端キャップ１７の硬性鏡挿入側端面２０が当接し、この際に先端キャップ１７の硬性鏡先端側端面２１が硬性鏡の端面１２と略同一平面になるような長さに設定されている。
【００２９】
また、先端キャップ１７の内面は硬性鏡の先端キャップ取付部１６の外径と略嵌合する内径で形成されており、その中間部には先端キャップ取付部１６の連接環状溝部１９と相応する位置にその連接環状溝部１９の山径や谷径と略嵌合する寸法を有する連接環状突起部２２が設けられている。先端キャップ１７の外径は硬性鏡挿入部の外径と略同一以下かあるいは多少大きな寸法であっても硬性鏡の挿入部の外径値を組合わせ対象としたトラカールの内径を通過可能な外径に抑えられている。
【００３０】
本実施形態の先端キャップ１７を使用する場合にはまず、硬性鏡の挿入部を患者体腔内に挿入する前に硬性鏡の先端キャップ取付部１６に先端キャップ１７を硬性鏡挿入側端面２０が位置決め用段差１８に当接するまで押し込み、図１０に示すように先端キャップ１７を挿入部の先端部１１に装着する。この際、先端キャップ１７は弾性材で形成されているため、先端キャップ１７の内径の連接環状突起部２２は押し広げられながら硬性鏡の先端キャップ取付部１６の外周に設けた連接環状溝部１９内に嵌め込まれていく。連接環状溝部１９に接環状突起部２２が係合し、先端部１１に先端キャップ１７を係着することができる。
【００３１】
患者の体腔内に硬性鏡の挿入部を挿入して観察することにより処置を開始する。観察中、電気メスや超音波処置具による飛沫が対物カバーガラス１３に付着する場合がある。また、患者の体腔内は体温により暖かく、湿度も高いので硬性鏡の挿入部や対物カバーガラス１３の表面に滴が付着することもある。このような状態のまま、観察を続行すると重力により挿入部の一番下方の部分、即ち観察視野の下方に雫となって溜まる。
【００３２】
しかしながら、その際、図１０に示すように、先端キャップ１７の硬性鏡先端側端面２１が硬性鏡の端面１２と略同一平面にあることで、この雫は毛細管現象により先端キャップ１７と先端キャップ取付部１６の隙間２３に吸い上げられる。また、対物カバーガラス１３上に付着した滴は観察の支障となることはない。
【００３３】
本実施形態では先端キャップ１７の端面と硬性鏡の端面が略同一面にあるため、先端キャップ１７と先端キャップ取付部１６の隙間２３に毛細管現象により硬性鏡先端に付着した水滴を確実に吸い込み、取り込むことが出来る。また、先端キャップ１７の連接環状突起部２２が硬性鏡の連接環状溝部１９に弾性的に嵌め込まれるので、硬性鏡の先端部に確実な保持力を持って先端キャップを装着することが出来る。
【００３４】
（第４実施形態）
本発明の第４実施形態に係る内視鏡について図１１を参照して説明する。
【００３５】
本実施形態でも先の第３実施形態の場合と同様、上記先端部１１の外装チューブ１５の外周部分を先端キャップ取付部１６としてあり、この先端キャップ取付部１６の外周の一部には連接環状溝部１９を形成する。連接環状溝部１９の山径と谷径はそれぞれ後述する先端キャップ１７の連接環状突起部２２の谷径と山径と略嵌合する寸法に形成されている。
【００３６】
上記先端キャップ１７は弾性をもった樹脂系の素材、例えばシリコンゴムなどで略円筒状に形成されている。先端キャップ１７の一方の端部には硬性鏡の先端部１１が挿入可能な開口部２６を有し、他方の端部には先端キャップ１７の内径側に突き出した硬性鏡の外装チューブ１５の内径と略同一の開口径を有する円周状の鍔部２７を有している。この鍔部２７の先端キャップ１７内部側の面２８は全周全面に渡り、硬性鏡の先端部１１における先端面１２に略密接する形状に形成される。上記鍔部２７以外の先端キャップ１７の内周は硬性鏡の外装チューブ１５の外径と略嵌合する内径で形成されている。
【００３７】
また、先端キャップ１７の外径は硬性鏡の挿入部における先端部１１の外径よりも大きな寸法であるが、硬性鏡に組合わせて使用する対象のトラカール内を通過可能な外径に抑えられている。
【００３８】
本実施形態の先端キャップ１７を使用する場合にはまず、硬性鏡の挿入部を患者の体腔内に挿入する前に先端キャップ１７の鍔部２７が硬性鏡の先端部１１における先端面１２に当接するまで押し込んで取り付ける。その際、弾性材で形成された先端キャップ１７内の連接環状突起部２２は押し広げられながら硬性鏡の先端部１１の外周に設けられた連接環状溝部１９内に嵌め込まれていく。
【００３９】
ここで、鍔部２７の開口は硬性鏡の先端部１１の外装チューブ１５の内径より大きいため、鍔部２７が観察光学系の視野や照明光学系の照明範囲を蹴る事はない。
【００４０】
また、観察視野の下方の対物カバーガラス上に溜った水滴は先端キャップ１７の鍔部２７によって受け止められ、この鍔部２７の内部側の面２８と硬性鏡の先端面１２の密接面の微細な隙間から毛細管現象により先端キャップ１７と硬性鏡の外装チューブ１５の隙間に吸い上げられることになり、対物カバーガラス上に付着した水滴が観察の支障となることはない。
【００４１】
本実施形態の先端キャップ１７を使用する場合は硬性鏡の挿入部の外周部に位置決め部を設ける必要は無く、溝等を設けるだけで簡単に先端キャップ１７を装着可能である。また、先端キャップ１７の鍔部２７により硬性鏡の先端面１２に付着した水滴が誘導される。このため、吸水効率が向上する。
【００４２】
（第５実施形態）
本発明の第５実施形態に係る内視鏡について図１２乃至図１６を参照して説明する。
【００４３】
図１２は患者の体腔内を観察するための硬性内視鏡（以下、硬性鏡と呼ぶ。）の体腔内に挿入する挿入部３１の先端部３２付近のみを図示したものである。図１２において示すように、先端部３２の先端面３３の周縁部にはテーパー部３４が突き出して形成されている。先端部３２の先端面３３は全面がカバーガラス３５で覆われている。
【００４４】
カバーガラス３５で覆われた先端面３３には対物レンズ３６と照明光出射部３７が設けられ、照明光出射部３７で患者の体腔内を照明し、その体腔内を対物レンズ３６により観察可能な構成になっている。
【００４５】
上記テーパー部３４において先端側に位置する細い方の部分の外径は後述する筒状の先端キャップ４１の内径よりも小さい。また、上記テーパー部３４はこれより基端側に位置して上記先端部３２の外周に細く形成したキャップ取付部４２の外径よりも太く形成されている。このため、上記テーパー部３４はキャップ取付部４２の先端から立ち上がる段差を形成する。
【００４６】
図１２に示すように、キャップ取付部４２は挿入部３１の先端部３２の外周外径よりも細い外径となるように形成される。キャップ取付部４２の後端は挿入部３１の本来の太さの外径まで立ち上がる段差４４となっており、この段差４４の一部には上記先端キャップ４１を位置決めするための突出部４５が形成されている。
【００４７】
上記テーパー部３４の一部には上記キャップ取付部４２にまで到達するように突き抜けて切り欠き形成した溝４６が形成されている。本実施形態では対物レンズ３６と照明光出射部３７の中心を通る線上で対物レンズ３６側に位置する部位に形成されている。この溝４６の深さは上記キャップ取付部４２の周面に連なる形状であることが望ましいが、キャップ取付部４２の周面に一致しない、それよりも浅いもの、或いは深いものでもよい。そして、溝４６が観察方向の下方向に位置するような場合において、上記カバーガラス３５の表面に付着した液体を上記溝４６を通じて上記キャップ取付部４２の周面に流し込むようになっている。
【００４８】
一方、図１３に示すように、上記先端キャップ４１は弾性をもった素材、例えばバネ用ステンレス材などで筒状に形成されている。先端キャップ４１にはこれを硬性鏡のキャップ取付部４２に取り付けた場合において上記位置決め用突出部４５と噛み合うことで挿入部３１の先端部３２の円周方向に対する先端キャップ４１の周方向の位置決めする位置決め用切欠き部４７が形成されている。
【００４９】
上記先端キャップ４１にはその全長にわたり形成したスリット状の切欠き部４８が形成されている。この切欠き部４８の形状について図１４を用いて説明する。図１４は図１３において示す矢印Ａ方向から先端キャップ４１を見た状態を示す。上記切欠き部４８は図示の如く先端キャップ４１の円周上の一箇所に設けられており、図１４に示す矢印４７及び矢印４８の方向へ先端キャップ４１を開く力が作用すると、その先端キャップ４１が広がるように先端キャップ４１を切り欠いている。
【００５０】
ここで、硬性鏡のキャップ取付部４２に取り付ける前の自然なフリーな状態での先端キャップ４１の内径はキャップ取付部４２の外径よりもわずかに小さい径となっており、先端キャップ４１をキャップ取付部４２に取り付けた状態では前記切欠き部４８がわずかに開いた状態となるように構成されている。
【００５１】
また、図１５に示す矢印Ｂ方向からみた図１６に示したように先端キャップ４１をキャップ取付部４２に対し取付けた状態では位置決め用突出部４５と位置決め用切欠き部４７はそれぞれ噛み合い、硬性鏡の先端部３２のテーパー部３４に形成した溝４６と先端キャップ４１の切欠き部４８の周方向の位置が一致するように構成される。
【００５２】
また、先端キャップ４１をキャップ取付部４２に取り付けた状態での先端キャップ４１の外径Ｌ１と硬性鏡の挿入部外径Ｌ２との関係は図１６において破線で示すように先端キャップ４１の外径Ｌ１は硬性鏡の挿入部外径Ｌ２よりも僅かに小さくなるように形成される。
【００５３】
本実施形態の先端キャップ１７を使用する場合はまず、硬性鏡を患者も体腔内に挿入する前に先端キャップ４１をキャップ取付部４２に取り付ける。
【００５４】
このときの作用について述べると、先端キャップ４１を保持した状態で硬性鏡の先端部３２にあるテーパー部３４を先端キャップ４１の内径部に挿入していくと、テーパー部３４により弾性材で形成された先端キャップ４１の切欠き部４８は押し広げられる。そして、位置決め用突出部４５と位置決め用切欠き部４７の位置が合うように挿入作業を続ける。先に述べたようにキャップ取付部４２の外径は先端キャップ４１の内径よりも大きいので、切欠き部４８はわずかに開いた状態となり、先端キャップ４１はキャップ取付部４２に対し弾性力により巻き付くように取り付けられる。
【００５５】
また、位置決め用突出部４５と位置決め用切欠き部４７により硬性鏡の先端部３２に形成された溝４６と前記切欠き部４８の周方向の位置が図１６に示すように一致することになる。
【００５６】
次に患者の体腔内に硬性鏡の挿入部３１を挿入して観察することにより処置を開始すると、電気メスや超音波処置具による飛沫がカバーガラス３５に付着する場合がある。また、患者の体腔内は体温により暖かく、湿度も高いので硬性鏡の挿入部３１やカバーガラス３５の表面に滴が付着することがある。この状態のまま観察を続行すると重力により挿入部３１の一番下方の部分、即ち観察視野の下方に滴（雫）となって溜まる。この滴は溝４６に流れ込み、さらに毛細管現象により先端キャップ４１の切欠き部４８に吸い上げられ、取り除かれることになり、カバーガラス３５上に付着した滴が観察の支障となることはない。
【００５７】
上述の現象が繰り返し発生し、滴を吸い上げることが充分にできなくなった場合には硬性鏡の挿入部３１を患者の体腔内から抜去し、切欠き部４８の部分に乾いたガーゼなど、液体を吸収できる物を押し当てれば、その切欠き部４８の内部に溜まった液体を吸い出すことができる。
この後に患者の体腔内に挿入すれば再び滴を吸い上げることにより良好な観察視野を得つづけることができる。
【００５８】
ここで、患者の体腔内から硬性鏡の挿入部３１を抜去する場合でも挿入部外径Ｌ２は先端キャップ外径Ｌ１よりも大きい径となるように構成されているため、トロッカーの縁などと先端キャップ４１の端面が干渉することで挿入部３１の抜去動作を妨げたり、先端キャップ４１がキャップ取付部４２から脱落することはない。
【００５９】
硬性鏡の使用が終了したら、患者の体腔内から抜去したのち切欠き部４８を広げるようにしてキャップ取付部４２から先端キャップ４１を取り外し、洗浄、滅菌して収納しておく。
【００６０】
本実施形態によれば、先端キャップ４１の着脱がワンタッチで実施できる上に再使用が可能である。また、カバーガラス３５上に雫が繰り返し発生し、滴を吸い取りきれなくなった場合でも患者の体腔内から抜去してガーゼなどの液体を吸収できるものを押し当てれば直ぐに機能を回復することができる。
【００６１】
【発明の効果】
以上説明したように本発明によれば、例えばトラカール外套管との隙間が小さくなって気腹用のガスの通りを悪くしたりすることなく、内視鏡の先端面に付いて溜まった液体の滴を取り除き、内視鏡手術を円滑に進めることができる。
【図面の簡単な説明】
【図１】本発明の第１実施形態に係る内視鏡の挿入部における先端部の斜視図である。
【図２】同じく本発明の第１実施形態に係る内視鏡の挿入部における先端部の側面図である。
【図３】同じく本発明の第１実施形態に係る内視鏡用先端キャップの斜視図である。
【図４】同じく本発明の第１実施形態に係る内視鏡の挿入部における先端部に先端キャップを取り付けた側面図である。
【図５】本発明の第２実施形態に係る内視鏡の先端キャップの斜視図である。
【図６】同じく本発明の第２実施形態に係る内視鏡の先端部の側面図である。
【図７】同じく本発明の第２実施形態に係る内視鏡に先端キャップを取り付けた先端部の側面図である。
【図８】本発明の第３実施形態に係る内視鏡の挿入部における先端部の斜視図である。
【図９】同じく本発明の第３実施形態に係る内視鏡の先端キャップの縦断面図である。
【図１０】同じく本発明の第３実施形態に係る内視鏡に先端キャップを取り付けた先端部の縦断面図である。
【図１１】本発明の第４実施形態に係る内視鏡に先端キャップを取り付けた先端部の縦断面図である。
【図１２】本発明の第５実施形態に係る内視鏡の挿入部における先端部の斜視図である。
【図１３】同じく本発明の第５実施形態に係る内視鏡の先端キャップの斜視図である。
【図１４】同じく本発明の第５実施形態に係る内視鏡の先端キャップの正面図である。
【図１５】同じく本発明の第５実施形態に係る内視鏡に先端キャップを取り付けた先端部の斜視図である。
【図１６】同じく本発明の第５実施形態に係る内視鏡に先端キャップを取り付けた先端部を図１５に示す矢印Ｂ方向からみた正面図である。
【符号の説明】
１…先端部
２…先端面
３…対物カバーガラス
４…照明光出射部
６…滴
７…先端キャップ
【図１】
2004154170.tif 000003
【図２】
2004154170.tif 000004
【図３】
2004154170.tif 000005
【図４】
2004154170.tif 000006
【図５】
2004154170.tif 000007
【図６】
2004154170.tif 000008
【図７】
2004154170.tif 000009
【図８】
2004154170.tif 000010
【図９】
2004154170.tif 000011
【図１０】
2004154170.tif 000012
【図１１】
2004154170.tif 000013
【図１２】
2004154170.tif 000014
【図１３】
2004154170.tif 000015
【図１４】
2004154170.tif 000016
【図１５】
2004154170.tif 000017
【図１６】
2004154170.tif 000018